(57)【要約】【課題】  複数の製品情報の比較を行い、その比較結果を開発製品のスペックに反映させることにより、未然に品質問題の発生を防ぐと共に、製品の開発効率を向上させることができる製品情報対比システムを提供することを目的とする。【解決手段】  本発明は、製品の特性を示す規格情報を有する複数の製品情報を対比する製品情報対比システムであって、上記複数の製品情報を管理する製品情報管理手段と、上記製品情報管理手段により管理された対比の基準となる製品情報の規格情報と、少なくとも一つ以上の上記製品情報の規格情報とが相違するか否かを判断する判断手段と、上記判断手段の判断結果に基づいて、視覚的に認識可能な表示を制御する表示制御手段とを有する構成とされる。【選択図】  図２
2004288167.tif 000002
【特許請求の範囲】
【請求項１】
製品の特性を示す規格情報を有する複数の製品情報を対比する製品情報対比システムであって、
上記複数の製品情報を管理する製品情報管理手段と、
上記製品情報管理手段により管理された対比の基準となる製品情報の規格情報と、少なくとも一つ以上の上記製品情報の規格情報とが相違するか否かを判断する判断手段と、
上記判断手段の判断結果に基づいて、視覚的に認識可能な表示を制御する表示制御手段とを有することを特徴とする製品情報対比システム。
【請求項２】
上記製品情報管理手段により管理された上記製品情報のうち、任意の対比の基準となる製品情報を選択する選択手段を有することを特徴とする請求項１記載の製品情報対比システム。
【請求項３】
上記表示制御手段は、上記判断結果により上記対比の基準となる製品情報に設定された規格情報が、少なくとも一つ以上の上記製品情報の規格情報に設定されていないとき、上記規格情報に対して視覚的に認識可能な表示を行うことを特徴とする請求項１又は２記載の製品情報対比システム。
【請求項４】
上記表示制御手段は、上記判断結果により上記対比の基準となる製品情報に設定されていない規格情報が、少なくとも一つ以上の上記製品情報の規格情報に設定されているとき、上記規格情報に対して視覚的に認識可能な表示を行うことを特徴とする請求項１乃至３いずれか一項記載の製品情報対比システム。
【請求項５】
上記対比の基準となる製品情報の新規、抜け、漏れ情報を判断する閾値を設定する設定手段を有し、
上記判断手段は、上記設定手段により設定された上記閾値に基づいて、上記対比の基準となる製品情報の規格情報と、少なくとも一つ以上の上記製品情報の規格情報とが相違するか否かを判断し、
上記表示制御手段は、上記判断手段の判断結果に基づいて、上記対比の基準となる製品情報の新規、抜け、漏れ情報が視覚的に認識可能な表示を行うことを特徴とする請求項１乃至４いずれか一項記載の製品情報対比システム。
【請求項６】
上記閾値の所定範囲毎に対応した表示制御を示す表示制御情報を管理する表示制御情報管理手段を有し、
上記表示制御手段は、上記判断手段の判断結果と上記表示制御情報管理手段により管理された上記表示制御情報とに基づいて、上記対比の基準となる製品情報の新規、抜け、漏れ情報が視覚的に認識可能な表示を行うことを特徴とする請求項５記載の製品情報対比システム。
【請求項７】
製品の特性を示す規格情報を有する複数の製品情報を管理する製品情報管理手段を有する製品情報対比サーバーにおける上記複数の製品情報を対比する製品情報対比処理をコンピュータに行わせるためのプログラムであって、
上記製品情報管理手段により管理された対比の基準となる製品情報の規格情報と、少なくとも一つ以上の上記製品情報の規格情報とが相違するか否かを判断する判断手順と、
上記判断手順の判断結果に基づいて、視覚的に認識可能な表示を制御する表示制御手順とを有することを特徴とするプログラム。
【発明の詳細な説明】
【技術分野】
【０００１】
本発明は、製品情報対比システムに係り、特に、電子写真式プリンター等に用いられるサプライ製品の複数の製品情報を管理し、それらの製品情報を対比する製品情報対比システムに関する。
【０００２】
なお、ここで言う製品情報とは、製品単体の情報に限らず、製品の製造装置の条件、製造上の検査情報、製造装置の設備仕様等、製品に関係する広範な情報を含むものである。
【背景技術】
【０００３】
従来、電子写真式プリンター等の製品の多様化に伴い、それらの製品の部品やサプライ製品も多様化しつつある。それらの製品の部品やサプライ製品は、それぞれ別個に設計される場合が多い。即ち、1つの製品を完成させるには、様々な部署が連携して行うのが常である。また、その製品に関する製品情報は、製品毎に所定の規格書に基づいて管理されている。
【０００４】
以下に、従来の製品情報を用いて開発を行う手順について説明する。図１は従来における製品の開発を説明するための図である。図１において、先ず、製品情報を用いて開発を行う開発用システムへ、開発する製品、製造工程の要求特性を入力し（ステップＳ１）、その製品の処方設計を行う（ステップＳ２）。次に、製品の生産準備を行い（ステップＳ３）、生産準備を行った後、製品の試作・評価を行う（ステップＳ４）。次に、試作を行った製品に不具合が生じた場合、設計変更を実行する（ステップＳ５）。設計変更を行った製品に対して試作・評価を行う（ステップＳ６）。また、設定変更を行った製品に不具合が生じた場合、ステップＳ５、Ｓ６と同様の処理を繰り返す（ステップＳ７、Ｓ８）。尚、図１に示す手順に限定されることなく、製品の不具合がなくなるまで、ステップＳ５、Ｓ６と同様の処理を繰り返す。次に、製品の不具合がなくなると、開発製品が量産され（ステップＳ９）、その製品が市場で販売、使用される（ステップＳ１０）。ステップＳ９の処理で、それらの量産された製品のバラツキが大きい場合、その製品の劣化、即ち品質問題が発生してしまう（ステップＳ１１）。
【０００５】
例えば、サプライ製品がトナーの場合、そのトナーに使用される代表的な材料としては、樹脂、ＣＣＡ、添加剤、離形剤、顔料、ＭＢ（マスターバッチ）があり、その特性としては、化学特性、キャリア特性、光学特性、粉体特性、磁気特性、成分、粒径分布、電気特性、熱特性、物理特性、外観、その他製造条件などがある。このように、原材料に関する規格、品質に関する規格、製造に関する規格等によりトナーが開発、製造されるが、同じ原材料を用いても製造条件の違いにより独立して規格が定められているのが現状である。このような条件、即ちスペックは、それぞれ製品により仕様が異なり、また、担当者によって設定が異なってしまう。
【０００６】
また、図１に示すように開発した製品の量産後に、トナー飛散などの品質問題が発生した場合、その品質問題は、水準や範囲の未設定、設計、開発段階での担当者によるスペックの漏れや、評価漏れに起因している。この対応策として、製品規格や原材料規格に新たな項目を製品情報に追加したり、検査規格の水準変更や製造条件に制約を設けるように製品情報を更新している。
【０００７】
また、従来技術として、内容が極めて類似している２つの規格書を、それらの差異を確認できるように表示するシステムについて記載されている（例えば、特許文献１参照）。しかしながら、類似している２つの規格書を比較する点については何ら記載されていない。
【特許文献１】特開２００２−１５７５４８号公報
【発明の開示】
【発明が解決しようとする課題】
【０００８】
しかしながら、上記のように製品情報は製品毎にスペックが異なり、また、他の製品のスペックとの相異点や変更情報などを得る場合、従来の製品情報では不充分であるという問題点があった。
【０００９】
また、所定の製品の量産後に設定変更があり、その製品に類似する製品を開発する場合、開発過程で変更部分がその製品のスペックに反映されているかを判断することができず、品質問題を防ぐことが難しいという問題点があった。
【００１０】
また、図１に示すように製品の不具合がなくなるまで、各製品のスペックの変更及び製品の試作、評価を繰り返し行うため、開発効率を低下させてしまうという問題点があった。
【００１１】
そこで、本発明の課題は、複数の製品情報の比較を行い、その比較結果を開発製品のスペックに反映させることにより、未然に品質問題の発生を防ぐと共に、製品の開発効率を向上させることができる製品情報対比システムを提供することである。
【課題を解決するための手段】
【００１２】
上記の課題を解決するため、本発明は、請求項１に記載されるように、製品の特性を示す規格情報を有する複数の製品情報を対比する製品情報対比システムであって、上記複数の製品情報を管理する製品情報管理手段と、上記製品情報管理手段により管理された対比の基準となる製品情報の規格情報と、少なくとも一つ以上の上記製品情報の規格情報とが相違するか否かを判断する判断手段と、上記判断手段の判断結果に基づいて、視覚的に認識可能な表示を制御する表示制御手段とを有する構成とされる。
【００１３】
このような製品情報対比システムでは、対比の基準となる製品情報である開発製品と他の製品情報との相違点を視覚的に認識して開発製品のスペックに反映させることができ、未然に品質問題の発生を防ぐと共に、製品の開発効率を向上させることができる。尚、判断手段及び表示制御手段は、製品情報表示制御部２４に対応する。
【００１４】
対比の基準となる製品情報を任意に選択するという観点から、本発明は、請求項２に記載されるように、上記製品情報管理手段により管理された上記製品情報のうち、任意の対比の基準となる製品情報を選択する選択手段を有するように構成することができる。
【００１５】
このような製品情報対比システムでは、複数の製品情報のうち対比の基準となる製品情報を任意に選択することにより、製品の開発効率を向上させることができる。
【００１６】
他の製品情報に設定されていない規格情報を視覚的に認識可能にするという観点から、本発明は、請求項３に記載されるように、上記表示制御手段は、上記判断結果により上記対比の基準となる製品情報に設定された規格情報が、少なくとも一つ以上の上記製品情報の規格情報に設定されていないとき、上記規格情報に対して視覚的に認識可能な表示を行うように構成することができる。
【００１７】
このような製品情報対比システムでは、対比の基準となる製品情報には設定され、他の製品情報には設定されていない規格情報を視覚的に認識可能であることにより、その認識結果を開発製品のスペックに反映させることができ、未然に品質問題の発生を防ぐと共に、製品の開発効率を向上させることができる。
【００１８】
対比の基準となる製品情報に設定されていない規格情報を視覚的に認識可能にするという観点から、本発明は、請求項４に記載されるように、上記表示制御手段は、上記判断結果により上記対比の基準となる製品情報に設定されていない規格情報が、少なくとも一つ以上の上記製品情報の規格情報に設定されているとき、上記規格情報に対して視覚的に認識可能な表示を行うように構成することができる。
【００１９】
このような製品情報対比システムでは、対比の基準となる製品情報には設定されておらず、他の製品情報には設定されている規格情報を視覚的に認識可能であることにより、その認識結果を開発製品のスペックに反映させることができ、未然に品質問題の発生を防ぐと共に、製品の開発効率を向上させることができる。
【００２０】
製品情報の新規、抜け、漏れが視覚的に認識可能であるという観点から、本発明は、請求項５に記載されるように、上記対比の基準となる製品情報の新規、抜け、漏れ情報を判断する閾値を設定する設定手段を有し、上記判断手段は、上記設定手段により設定された上記閾値に基づいて、上記対比の基準となる製品情報の規格情報と、少なくとも一つ以上の上記製品情報の規格情報とが相違するか否かを判断し、上記表示制御手段は、上記判断手段の判断結果に基づいて、上記対比の基準となる製品情報の新規、抜け、漏れ情報が視覚的に認識可能な表示を行うように構成することができる。
【００２１】
このような製品情報対比システムでは、製品情報の新規、抜け、漏れ情報が視覚的に認識可能であることにより、その認識結果を開発製品のスペックに反映させることができ、未然に品質問題の発生を防ぐと共に、製品の開発効率を向上させることができる。
【００２２】
製品情報の新規、抜け、漏れが視覚的に認識可能である表示を制御する表示制御情報を管理するという観点から、本発明は、請求項６に記載されるように、上記閾値の所定範囲毎に対応した表示制御を示す表示制御情報を管理する表示制御情報管理手段を有し、上記表示制御手段は、上記判断手段の判断結果と上記表示制御情報管理手段により管理された上記表示制御情報とに基づいて、上記対比の基準となる製品情報の新規、抜け、漏れ情報が視覚的に認識可能な表示を行うように構成することができる。
【００２３】
このような製品情報対比システムでは、表示制御情報に基づいて、製品情報の新規、抜け、漏れ情報が視覚的に認識可能な表示を制御することにより、その認識結果を開発製品のスペックに反映させることができ、未然に品質問題の発生を防ぐと共に、製品の開発効率を向上させることができる。
【００２４】
また、上記課題を解決するため、本発明は、上記製品情報対比システムにおける製品情報対比処理をコンピューターに行わせるためのプログラム及びそのプログラムを格納した記録媒体とすることもできる。
【発明の効果】
【００２５】
上述の如く本発明によれば、対比の基準となる製品情報である開発製品と他の製品情報との相違点を視覚的に認識して開発製品のスペックに反映させることができ、未然に品質問題の発生を防ぐと共に、製品の開発効率を向上させることができる。
【発明を実施するための最良の形態】
【００２６】
以下、本発明の実施の形態を図面に基づいて説明する。
【００２７】
図２は、本発明の実施の一形態に係る製品情報対比システムにおける構成図である。図２において、製品情報対比システム１０は、開発された製品毎の製品情報を管理する製品情報管理サーバー２０と、製品情報に基づいて製品の開発を行う開発者側端末３０ａ〜３０ｘとで構成されるシステムである。尚、ネットワーク１を介して製品情報管理サーバー２０と、開発者側端末３０ａ〜３０ｘとが接続される。
【００２８】
図２において、製品情報管理サーバー２０は、サーバコンピュータであって、ＣＰＵ（中央処理装置）によって以下に示す各構成が制御される。ＣＰＵは、メモリユニットに格納されたプログラムに従って製品情報対比システム１０での処理を行う。この製品情報管理サーバー２０は、主に、製品情報管理処理を実行するプログラムをインストールするインストーラ２１と、データ通信を制御する通信制御処理部２２と、データの入出力を制御する入出力制御処理部２３と、製品情報の表示を制御する製品情報表示制御部２４と、製品情報が格納された製品情報データベース（以下ＤＢと呼ぶ）２５と、アラームを表示するためのアラーム情報が格納されたアラーム情報ＤＢ２６とで構成される。製品情報ＤＢ２５に格納されるテーブルについては図３、図４で、アラーム情報ＤＢ２６に格納されるテーブルについては図８で詳細に説明する。
【００２９】
通信制御処理部２２は、ネットワーク１によりデータの送受信を制御する処理部であって、ネットワーク網に接続するための通信ユニットを有する。入出力制御処理部２３は、マウス、キーボード等の入力ユニット及び、解析情報出力手段３４であるモニタ、プリンタ等の出力ユニットを制御し、データの入出力を制御する。インストーラ２１は、本発明の一実施例に係る製品情報対比システムでの処理を実現するためのプログラムが記録された記録媒体４０から該プログラムを読み出し、その読み出されたプログラムを、例えば、補助記憶装置等にインストールする。そして、製品情報対比処理が起動されると、補助記憶装置にインストールされた当該プログラムに従って、ＣＰＵがその処理を開始する。尚、記録媒体４０は、当該プログラムを格納する媒体としてＲＯＭ等、コンピュータが読み取り可能な媒体であればよい。
【００３０】
また、製品情報表示制御部２４は、ディスプレイ等の表示ユニットを有し、製品情報ＤＢ２５に格納された製品情報、及びアラーム情報ＤＢ２６に格納されたアラーム情報とに基づいて、複数の製品情報を対比するための画面表示を制御する。例えば、管理者により製品情報管理サーバー２０に設けられたキーボードから、製品情報対比処理を起動する入力が行われると、製品情報表示制御部２４は、製品情報対比処理を起動する。製品情報表示制御部２４は、管理者に製品の指定を促すための画面を表示させると共に、管理者が指定した複数の製品に対して、それらの製品情報を対比するための画面を表示させる。特に、製品情報を対比するための画面には、所定の製品が他の製品と比べて、従来になく今回新しく設定された特性値を示す表示域や、所定の閾値に基づいて製品情報の新規、抜け、漏れアラームを表示する表示域が、背景の色と異なる青色や黄色などの表示域に変換されて表示される。
【００３１】
これにより、管理者は、異なる色の表示域から所定の製品と他の製品との異なる特性値や、製品情報の新規、抜け、漏れアラームを認識することができる。
【００３２】
尚、開発者側端末３０ａ〜３０ｘは、上記製品情報管理サーバー２０のインストーラ２１、通信制御処理部２２、入出力制御処理部２３、製品情報表示制御部２４と同様の構成を有するため、説明を省略する。
【００３３】
次に、製品情報ＤＢ２５に格納されるテーブルについて説明する。図３、図４は、製品情報ＤＢに格納されるテーブルを示す図である。先ず、図３において、製品情報ＤＢ２５に格納されるテーブル２５０は、トナーの製品名を示す項目と、適応する機種名を示す項目と、製品の処方を示す項目と、製品を更新した日時を示す項目と、製品の色を示す項目とで構成される。製品名「製品Ａ」には、「製品Ａ」の色毎の製品名が格納され、例えば、テーブル２５０には、色毎の製品名「Ａ−ＢＫ」に対して、機種名「ａａａａ」と、処方「オイル塗布」と、更新日「２００２／０７／１０」と、色「ブラック」とが格納されている。
【００３４】
次に、図４において、製品情報ＤＢ２５に格納されるテーブル２５１は、トナーの製品名を示す項目と、粒径分布の複数の特性値１〜３を示す項目と、粉体特性の特性値４を示す項目と、電気特性の複数の特性値５〜７を示す項目と、熱特性の特性値８を示す項目と、光学特性複数の特性値９〜１１を示す項目と、環境条件の特性値１２、１３等を示す項目とで構成される。尚、上記テーブル２５０、２５１に示す項目に限定されることなく、他の製品情報の対比に必要な項目を設定及び変更することができる。
【００３５】
次に、製品情報対比処理において、製品情報管理サーバー２０の表示ユニットに表示される画面遷移について説明する。図５は、製品情報対比処理における画面遷移を示す図である。図５（Ａ）は、製品情報対比処理の起動により表示される画面２００であり、図５（Ｂ）は、製品情報を対比する際の基準となる製品を選択する画面２１０である。図５（Ａ）に示す画面２００には、製品情報が表示される表示域２０１と、詳細情報を表示する製品を選択するための入力域２０２と、製品情報の作成画面を表示させる作成画面ボタン２０３と、製品別に製品情報を表示させる製品別ボタン２０４と、処方別に製品情報を表示させる処方ボタン２０５と、機種別に製品情報を表示させるボタン２０６と、カテゴリ別に製品情報を表示させるボタン２０７と、規格別に製品情報を表示させる規格別ボタン２０８とが表示される。表示域２０１には、図３に示すテーブル２５０に格納された製品情報が表示され、製品名、機種名、処方、更新日を示す項目が表示される。例えば、管理者が製品名「Ａ−Ｃ」の入力域２０２をチェックすると、製品名「Ａ−Ｃ」の詳細な製品情報が表示される。また、表示域２０９に示すように製品名「Ａ−ＢＫ」が選択された状態で、製品別ボタン２０４を選択すると、図５（Ｂ）に示す画面２１０が表示される。
【００３６】
図５（Ｂ）に示す画面２１０には、所定の製品に関する製品規格を選択する選択域２１１と、処方の違いを識別し、横並べして製品情報を表示させる旨を示す表示域２１２と、処方に応じて製品情報を表示させるＯＫボタン２１３と、基準製品を設定し、スペックの新規、抜け、漏れをアラーム表示させる場合に基準製品を選択して製品情報を表示させる旨を示す表示域２１４と、基準製品を選択して製品情報を表示させるＯＫボタン２１５とが表示される。選択域２１１には、製品規格（製品Ａ）である製品名「Ａ−ＢＫ」、「Ａ−Ｃ」、「Ａ−Ｍ」、「Ａ−Ｙ」とが表示される。例えば、選択域２１１内で、表示域２１６に示すように基準製品の製品名「Ａ−ＢＫ」を選択し、ＯＫボタン２１５を選択すると、以下に示すように選択した基準製品とその他の製品情報とを対比する画面が表示される。
【００３７】
次に、選択した基準製品とその他の製品情報とを対比する画面について説明する。図６は、製品情報対比処理における製品情報を対比する画面を示す図である。図６に示す画面２２０は、選択された基準製品（ここでは選択された製品名「Ａ−ＢＫ」が画面タイトルとして表示される）の製品情報と、その製品（製品Ａ）に関する他の製品の製品情報との対比に関する情報を示している。画面２２０には、前に表示された画面に戻るためのボタン２２１と、表示された画面２２０の情報を他の処理手段で出力する出力ボタン２２２と、新規・抜け・漏れアラームを表示させるためのボタン２２３と、そのアラーム表示のための閾値を入力する入力域２２４と、従来になく今回新しく設定された特性値の領域に表示される色（色及び模様）を示す表示域２２５と、従来あったが今回設定されていない特性値の領域に表示される色を示す表示域２２６と、水準レベルと異なる値の領域に表示される色を示す表示域２２７と、各製品情報の対比結果を示す表示域２２８とが表示される。
【００３８】
表示域２２８には、各製品の分類を示す項目と、分類に対する特性値を示す特性項目と、製品名「Ａ−ＢＫ」、「Ａ−Ｃ」、「Ａ−Ｍ」、「Ａ−Ｙ」の製品情報を示す項目とが表示される。分類項目には、製品に対応する機種名と、処方と、色と、粒径分布と、粉体特性と、電気特性と、熱特性と、光学特性と、環境条件等が表示される。特性項目には、各分類に対応する特性値１〜１３が表示される。尚、上記表示域２２８に示す特性項目に限定されることなく、他の製品情報の対比に必要な項目を表示させるようにしてもよい。また、上記分類項目及び特性項目とその単位は規格情報として製品情報ＤＢ２５により管理される。
【００３９】
この表示域２２８において、製品名「Ａ−ＢＫ」、「Ａ−Ｃ」、「Ａ−Ｍ」、「Ａ−Ｙ」の各製品情報のうち、基準製品である製品名「Ａ―ＢＫ」と他の製品情報とを対比した結果が、表示域２２９、２３０に示すように色分けされて表示される。例えば、基準製品である製品名「Ａ―ＢＫ」に対して他の製品情報が水準レベルの異なる場合、即ち、基準製品の製品情報に設定されている特性値が他の製品情報に設定されている特性値と異なる場合、表示域２２７に示す色と同じ色で表示域２２９に色分け表示される。また、従来あったが今回設定されていない特性値の場合、即ち、他の製品情報には設定されており、基準製品の製品情報には設定されていない特性の場合、表示域２２６に示す色と同じ色で表示域２３０に表示される。尚、従来になく今回新しく設定された特性値の場合、即ち、他の製品情報には設定されておらず、基準製品の製品情報には設定されている特性値の場合、該当する特性値がないため、色分け表示されない。
【００４０】
このように、基準製品の製品情報と他の製品情報とを比較し、各条件に応じて色分け表示を行うことにより、製品の開発過程で他の製品と異なる特性を識別することができる。例えば、管理者が画面２２８に表示された表示域２２９から、その特性値が他の製品情報に設定されている値と異なることを認識し、基準製品のスペックを設定する設定者に通知して値の異なる意味を確認し、また、表示域２３０から、その特性値が今回設定されていない特性値であることを認識し、スペック設定者に通知して今回設定されていない意味を確認する等を行うことができる。従って、画面２２８の色分け表示により認識された認識結果を開発製品のスペックに反映させることができ、未然に品質問題の発生を防ぐと共に、製品の開発効率を向上させることができる。
【００４１】
次に、選択した基準製品とその他の製品情報とを対比する画面の他の例について説明する。図７は、製品情報対比処理における製品情報を対比する画面の他の例を示す図である。図７に示す画面２４０は、選択された基準製品（ここでは選択された製品名「Ｂ−Ｃ」が画面タイトルとして表示される）の製品情報と、他の製品（製品名「Ａ―Ｃ」）の製品情報との対比に関する情報を示している。画面２４０には、前に表示された画面に戻るためのボタン２４１と、表示された画面２２０の情報を他の処理手段で出力する出力ボタン２４２と、新規・抜け・漏れアラームを表示させるためのボタン２４３と、そのアラーム表示のための閾値を入力する入力域２４４と、従来になく今回新しく設定された特性値の領域に表示される色（色及び模様）を示す表示域２４５と、従来あったが今回設定されていない特性値の領域に表示される色を示す表示域２４６と、各製品情報の対比結果を示す表示域２４７とが表示される。
【００４２】
表示域２４７には、各製品の分類を示す項目と、分類に対する特性を示す特性項目と、製品名「Ｂ−Ｃ」、「Ａ−Ｃ」の製品情報を示す項目とが表示される。なお、各特性項目の単位を示す項目を設けてもよい。分類項目には、製品に対応する粉体特性と、電気特性と、熱特性と、光学特性と、環境条件等が表示される。特性項目には、各分類に対応する特性値１〜１３が表示される。尚、上記表示域２４７に示す特性項目に限定されることなく、他の製品情報の対比に必要な項目を表示させるようにしてもよい。また、他の分類項目及び特性項目とその単位は規格情報として製品情報ＤＢ２５により管理される。
【００４３】
この表示域２４７において、基準製品である製品名「Ｂ−Ｃ」の製品情報と、他の製品名「Ａ−Ｃ」の製品情報とを対比した結果が、表示域２４８、２４９に示すように色分けされて表示される。例えば、基準製品である製品名「Ｂ−Ｃ」の製品情報に対して他の製品名「Ａ−Ｃ」の製品情報が、従来あったが今回設定されていない場合、即ち、他の製品情報には設定されており、基準製品の製品情報には設定されていない特性値の場合、表示域２４６に示す色と同じ色で表示域２４８に表示される。また、従来になく今回新しく設定された特性値の場合、即ち、他の製品情報には設定されておらず、基準製品の製品情報には設定されている特性値の場合、表示域２４５に示す色と同じ色で表示域２４９に表示される。
【００４４】
このように、基準製品の製品情報と他の製品情報とを比較し、各条件に応じて色分け表示を行うことにより、製品の開発過程で他の製品と異なる特性を識別することができる。例えば、管理者が画面２４７に表示された表示域２４９から、その特性値が今回新しく設定された特性値であることを認識し、基準製品のスペックを設定する設定者に技術的なロジックを問い合わせたり、表示域２４８からその特性値が今回設定されていない特性値であることを認識し、設定者に通知して今回設定されていない意味を確認する等を行うことができる。従って、画面２２８の色分け表示により認識された認識結果を開発製品のスペックに反映させることができ、未然に品質問題の発生を防ぐと共に、製品の開発効率を向上させることができる。
【００４５】
次に、上記製品情報の新規、抜け、漏れアラーム表示において、アラーム情報ＤＢ２６に格納されるテーブルについて説明する。図８は、アラーム情報ＤＢに格納されるテーブルを示す図である。図８において、アラーム情報ＤＢ２６に格納されるテーブル２６０は、予め管理者によって設定される。テーブル２６０には、閾値メモリ値を示す項目と、その閾値メモリに対して行う表示制御を示す項目とが格納される。閾値メモリ値は、製品情報の特性値を比較するための基準となる値である。表示項目には、製品Ａと、製品Ｂ、Ｃ、Ｄ、Ｅとの製品情報とを比較する場合、閾値メモリ値に応じた表示処理が格納されている。例えば、管理者によって閾値２５％が入力された場合、閾値メモリ値項目の２５％以上５０％未満の範囲内であるため、その閾値メモリ値項目に対応した表示項目の処理が行われる、即ち、製品Ａと異なる特性値が製品Ｂ、Ｃ、Ｄ、Ｅのうち、一つだけの場合はアラーム表示されない。
【００４６】
次に、上記製品情報の新規、抜け、漏れアラームを表示する画面について説明する。図９は、製品情報対比処理におけるアラーム表示画面を示す図である。図９に示す画面２５１は、基準製品（製品名「Ａ−ＢＫ」）の製品情報と、その製品（製品Ａ）に関する他の製品の製品情報とを比較し、アラーム表示を行った場合の画面を示している。尚、画面２５１は、図６に示す画面２２０と略同様であるため、同様の表示構成については同符号を付して説明を省略する。画面２５１は、各製品情報の対比結果であるアラーム表示が行われた表示域２５２を有する。
【００４７】
例えば、入力域２２４にアラーム表示のための閾値が入力され、新規・抜け・漏れアラームを表示させるためのボタン２２３が選択されると、閾値に基づいて複数の製品情報の特性値が比較され、その比較結果に基づいて所定の表示域２５３が表示域２２７の色と同じ色で表示される。
【００４８】
このように、基準製品の製品情報と他の製品情報とを比較し、閾値に基づいてアラーム表示を行うことにより、製品の開発過程で他の製品と異なる特性を識別することができる。例えば、管理者は表示域２５３から、基準製品の製品情報の新規・抜け・漏れアラームを認識することができ、スペック設定者に問い合わせを行う等の対応を行うことができる。従って、アラーム表示により認識された認識結果を開発製品のスペックに反映させることができ、未然に品質問題の発生を防ぐと共に、製品の開発効率を向上させることができる。
【００４９】
次に、製品情報として特にコストに着目し、原材料別および品種別にコストを比較し、適切な原材料の選定を行えるようにした例について説明する。図１０は原材料コストを対比する画面例を示す図である。図１０において、画面２７０には基準となる品種および比較する品種を設定する領域２７１と、その設定に基づき検索実行を指示するためのボタン２７２とが設けられ、検索の結果が領域２７３に表示される。領域２７３においては、縦方向に工程、分類でカテゴライズされた原材料名が並び、それぞれにメーカー名、コストが表示される。そして、その横方向には、基準となる品種および比較する品種のコストが並んで表示される。なお、空欄の部分はその品種においてその原材料を使用していないことを示す。
【００５０】
ここで、分類でカテゴライズされた各領域範囲において一番コストの安い材料が領域２７４、２７７のように所定の色・模様等によって視覚的に認識可能に表示される。また、同様に分類でカテゴライズされた各領域範囲において一番コストの高い材料が領域２７６、２７７、２７８のように所定の色・模様等によって視覚的に認識可能に表示される。これにより、品質の確保のみならず、どの原材料を使用することがコスト的に最も有利であるかを直感的に知ることができ、開発効率の向上に寄与することができる。なお、原材料情報、原材料市況、開発購買資料、コストテーブル、購入予測／購入実績情報、資材・購買情報、拠点コスト情報、メーカー情報等と相互にリンクすることにより、何故安いのか／何故高いのかといった根拠も容易に知ることができる。
【００５１】
次に、製品情報に用いられる用語の統一を図るためのマスター登録について説明する。すなわち、各製品情報の精度を統一し、比較において別のものと認識されないようにする上で名称の統一を図ることが重要であり、そのためにマスターに登録された名称からしか製品情報の入力を行わせないようにする（項目の入力時にマスターに登録された用語をプルダウンメニュー等により表示し、その中から選択させる）ことが有効である。例えば、同じ特性項目であっても担当者によって「残スチレン」「残スチレンモノマー」「残スチレン含量」「残存スチレンモノマー」「残存モノマー（Ｓｔ）」といった様々な表現が用いられるが、この場合はマスターにおいて「残存スチレン」に統一することで担当者によるバラツキを防止する。反対に、違う特性項目であるにもかかわらず、同じ名称が用いられる場合がある。例えば、「微粉含有率」は粒径の大きさにより異なる値となるものであるため、「微粉含有率（２μｍ以下）」と「微粉含有率（４μｍ以下）」に分離してマスターに登録しておく。
【００５２】
同様に、単位についても統一を図る必要があり、例えば、磁気特性Hｃについては「｛Ｏｅ｝」「ＫＡ／ｍ」「ｋＡ／ｍＯｅ」「Ｏ”ｅ」「Ｏｅ」「ｋＡ／ｍ」「ＯｅｋＡ／ｍ」「Ｏｅ’」といった様々な表現が用いられるが、この場合はマスターにおいて「Ｏｅ」に統一する。なお、測定方法の違い等に起因してどうしても統一できない単位についてはそのままとし、別の項目として取り扱うことになる。
【００５３】
次に、上述した用語のマスター登録の改善について説明する。すなわち、一般には新たな用語を設定しようとした場合、その時点でマスター登録の申請を管理者に対して行い、承認を受けた上でマスター登録がされ、それ以降になってはじめてその用語の使用が可能になる。しかし、これではマスター登録がされるまでは製品情報の入力が行えないことになり、作業効率の低下を招いていた。そこで、新たにマスター仮登録という機能を設けることによりその問題を解決している。
【００５４】
図１１はマスター仮登録の流れを示す図である。先ず、製品情報のデータ入力が開発者端末等において行われる（ステップＳ１０１）。この際、各用語は図１２に示すように、入力の画面３０１から項目をマウスでクリックすることで表示されるプルダウンメニュー３０２から選択することで入力することになる。これにより、マスターに登録されていない用語が使用されることを防止することができる。
【００５５】
次いで、図１１においてデータ入力に際して新規に用語の設定を必要とする場合、用語の新規作成の機能を選択し、用語を設定し、確認メッセージのもと、マスター仮登録が行われる（ステップＳ１０２、Ｓ１０３）。図１３は用語入力の画面例を示す図であり、画面３０１の新規作成のボタン３０３をマウスでクリックすることで用語入力の画面３０４が表示され、既存の項目を確認しつつ、新規の用語を入力することができる。そして、マスター仮登録された用語は、最終的に確定したものではないが、通常のマスター登録された用語と同様に製品情報のデータ入力に用いることができる。
【００５６】
次いで、図１１において管理者による内容の承認が行われ（ステップＳ１０４）、必要があれば修正が行われ（ステップＳ１０５）、最終的なマスター正式登録が行われる（ステップＳ１０６）。図１４は用語承認の画面例を示す図であり、仮登録された新規用語を示す画面２８１から内容の確認を行い、修正なく承認する場合にはボタン２８２を押し、修正が必要な場合は修正した用語を設定した上でボタン２８３を押す。これにより、承認ワークフローの画面２８４に移行することとなり、所定の階層の承認を経て正式登録される。
【００５７】
次に、上述した実施形態の補足説明を行う。
【００５８】
先ず、各製品情報を選択等させる上で、情報をツリー構造にして表示し、その中から選択等させることにより、視認性および操作性を向上させることができる。例えば、図５（Ａ）においては、製品別、処方別、機種別、カテゴリ別、規格別といったボタン２０４〜２０８によって製品情報を選択できるようになっているが、これらに代え、あるいはこれらと共に、製品情報をツリー構造にして表示し、その中から所望の項目を選択させるようにすることができる。
【００５９】
更に、上記の実施形態では視覚的に認識可能な表示の例として、主に色によって該当部分の領域を目立たせるものにつき説明したが、これに限られるものではなく、例えば文字の色、フォント、サイズを変えたり、ポップアップ表示を付加させたりといった様々な方法によって行うことができる。
【００６０】
また、表示された数値等の違いを明確に認識できるよう、並んだ数値に対してマウスのクリック等を行うことでグラフ化した画面を表示させたり、詳細をツリー展開した画面を表示させたりするようにすることができる。
【００６１】
更に、上記の実施形態では視覚的に認識可能な表示によって新規・抜け・漏れ等のアラーム表示を行っているが、電子メールやファクシミリの機能と連動させ、関係するセクションへ自動的に連絡を行うようにすることもできる。また、アラームだけでなく、適切な対応策を提示するようにすることにより、開発効率をいっそう向上させることができる。
【００６２】
更に、図６、図７、図９に示したような製品情報を品種等に応じて横並べした画面から、該当する特性項目等に対してマウスのクリック等を行うことで、品質問題、コスト情報、測定方法、品質情報等を示す画面を表示させるようにすることができる。これにより、利用者に有用な情報を迅速に提供することができ、開発効率をいっそう向上させることができる。例えば、既に判明している品質問題を見ることで品質向上のための対策を立てやすくなり、コスト情報を見ることでより安価な材料の選定を行うことができ、測定方法を見ることで測定法の違いによる間違いが低減でき、品質情報を見ることで問題発生の源流への到達を迅速に行うことができる。
【００６３】
更に、図６、図７、図９に示したような縦方向に並んだ製品規格の情報に続けて、検査規格等の他の製品情報を併せて表示し、複数の規格をまたいだ縦横並べによる表示とすることで、製品の製造過程等のより上流の部分での不具合の早期発見を可能とすることができる。この場合、特性項目等に基づいてソートして表示することにより、同じ特性項目に関する複数の規格の内容を縦方向に隣接して並べて表示させるようにすることができる。
【００６４】
更に、上記の実施形態では製品情報を主に文字として表現しているが、これに限られるものではなく、例えばリッチテキストデータを表示可能とすることで、化学式、写真、感度グラフ、トナー粒径分布、熱分析結果、フローテスターチャート等を表示させることができ、直感的に認識しやすいものとすることができる。同様に、製品情報からマウスのクリック等によってリンクして表示する画面においてもリッチテキストデータを表示可能とすることで直感的に認識しやすいものとすることができる。
【００６５】
更に、製品情報対比システムの表示画面において、指定した仕様（スペック）に合致する品種等の製品情報を自動検索する機能を設けるようにしてもよい。これにより、所望の製品情報を迅速に取得・表示させることができ、開発効率をいっそう向上させることができる。
【００６６】
更に、自動翻訳機能を搭載することで、外国語で記載された海外メーカーの製品情報についても同列に扱うことが可能になる。
【００６７】
更に、製品情報対比システムにモバイルＰＣからアクセス可能とすることで、製品開発の現場からリアルタイムに確認を行うことができ、開発効率をいっそう向上させることができる。
【図面の簡単な説明】
【００６８】
【図１】従来における製品の開発を説明するための図である。
【図２】本発明の実施の一形態に係る製品情報対比システムにおける構成図である。
【図３】製品情報ＤＢに格納されるテーブルを示す図である。
【図４】製品情報ＤＢに格納されるテーブルを示す図である。
【図５】製品情報対比処理における画面遷移を示す図である。
【図６】製品情報対比処理における製品情報を対比する画面を示す図である。
【図７】製品情報対比処理における製品情報を対比する画面を示す図である。
【図８】アラーム情報ＤＢに格納されるテーブルを示す図である。
【図９】製品情報対比処理におけるアラーム表示画面を示す図である。
【図１０】原材料コストを対比する画面例を示す図である。
【図１１】マスター仮登録の流れを示す図である。
【図１２】データ入力の画面例を示す図である。
【図１３】用語入力の画面例を示す図である。
【図１４】用語承認の画面例を示す図である。
【符号の説明】
【００６９】
１                ネットワーク
１０              製品情報対比システム
２０              製品情報管理サーバー
２１              インストーラ
２２              通信制御処理部
２３              入出力制御処理部
２４              製品情報表示制御部
２５              製品情報ＤＢ
２６              アラーム情報ＤＢ
３０ａ〜３０ｘ    開発者側端末
４０              記録媒体
【図１】
2004288167.tif 000003
【図２】
2004288167.tif 000004
【図３】
2004288167.tif 000005
【図４】
2004288167.tif 000006
【図５】
2004288167.tif 000007
【図６】
2004288167.tif 000008
【図７】
2004288167.tif 000009
【図８】
2004288167.tif 000010
【図９】
2004288167.tif 000011
【図１０】
2004288167.tif 000012
【図１１】
2004288167.tif 000013
【図１２】
2004288167.tif 000014
【図１３】
2004288167.tif 000015
【図１４】
2004288167.tif 000016